(57)【特許請求の範囲】
【請求項１】
電子機器の部を覆う略矩形状面を含む蓋部と、
円筒形状であり、前記蓋部の前記略矩形状面に直角な厚み面に対して円筒軸を垂直にして設けたピン、および円筒形状であり、前記厚み面に対向する厚み面に対して円筒軸を垂直にして、かつ前記ピンと同一円筒軸上に設けたもう一つのピンとからなる一対のガイドピンと、
前記ガイドピンを設けた厚み面とは直角の厚み面より余材部分を残して垂直に切り込み、前記一対のガイドピンそれぞれが円筒軸方向に押されると前記略矩形状面方向に前記余材部分との弾性力により撓むように形成された一対のスリットと
を一体に成型した開閉蓋と、
前記開口部近傍に設けられ、電子機器の前記開口部側から電子機器内部の方向にあって、前記ガイドピンの円筒軸に垂直な面を底部として、円筒軸方向に凹状に形成し、前記ガイドピンをガイドし、前記開閉蓋が開状態では、前記開閉蓋を電子機器内部に収容するように形成し、かつ両端溝を壁面で塞いだ溝部と、
前記溝部の内部において、前記スリットと前記余材部分とで生じる弾性による撓みによって前記ガイドピンが乗り越えられる程度の高さであり、かつ前記開口部側の塞がれた前記溝端部より前記ガイドピンの円筒径の長さにほぼ等しい溝長さを残して配置した凸部と、
を一体に成型したガイド溝と、
を備え、
電子機器の前記開口部が開いた状態では、
前記開閉蓋は前記開口部側から電子機器内部に収容され、
電子機器の前記開口部を前記開閉蓋により閉じるときは、
前記蓋部を前記開口部の外部に引き出し、前記一対のガイドピンは前記ガイド溝内の前記凸部に突き当って、前記スリットと前記余材部分による弾性力によってクリック感とともに乗り越えて、塞がれた前記溝端部で止まり、前記開閉蓋は前記溝端部と前記凸部に挟まれて保持された前記一対のガイドピンを支点に回動して前記開口部を閉じる構成としたことを特徴とする開閉蓋を有する電子機器。
【請求項２】
前記ガイド溝を構成する前記凸部は円筒形の側面形状をした凸面であることを特徴とする請求項１記載の開閉蓋を有する電子機器。
【請求項３】
前記ガイド溝の前記溝部の塞がれた両端部壁面は前記ガイドピンの円筒側面に対応する面であることを特徴とする請求項１記載の開閉蓋を有する電子機器。
【発明の詳細な説明】
【０００１】
【発明の属する技術分野】
本発明は外部接続用コネクタ等を覆う為に用いられる開閉蓋を有する電子機器に関する。
【０００２】
【従来の技術】
従来、ノートパソコンなどの携帯型の電子機器には外部の周辺装置等と接続するためのコネクタが設けられ、このコネクタに接続されないときには埃等の侵入を防ぐために開閉蓋が設けられていた。
【０００３】
従来の開閉蓋を有する電子機器について、以下図を用いて説明する。
図３は開閉蓋が設けられたノートパソコンの外観斜視図、図４はノートパソコンの開閉部を機器内部から見た開閉蓋の構成図である。図において、１はノートパソコンの本体部、１ａは本体部１の後面に形成された矩形の開口部で、内部に外部装置と接続するためのコネクタ２が設けられている。なお、図３は解りやすくするため、収納されていた開閉蓋が引き出された状態を示している。１１は樹脂製の開閉蓋で蓋部１１ａは開口部１ａの形状に合わせ、ほぼ等しい大きさとなっている。蓋部１１ａの対向する２辺の端部近傍にはそれぞれ円筒状のピン１１ｂが設けられている。また、１２はピン１１ｂを押さえる金属製のバネ板で、弾性力を有しており、円弧部１２ａと、端部にネジ（図示せず）で取り付けるための孔１２ｂが設けられている。
【０００４】
以上のように構成されたノートパソコンの開閉蓋の開閉動作について説明する。本体部１の内部に収納された開閉蓋１１は、ピン１１ｂがバネ板１２によって押さえられているため、Ａ方向のみにスライドさせて引き出すことができる。開口部の奥方向への移動は円弧部１２ａによって止められている。開口部側は図示しない止め部によって止められ、その位置でピン１１ｂを支点に回転し、蓋部１１ａの向きを図の１点鎖線で示す状態に変え、開口部１ａが塞がれる。開閉蓋１１はバネ板１２でピン１１ｂが押さえられているため、ピン１１ｂはほとんど移動せず回転させることができる。
【０００５】
【発明が解決しようとする課題】
近年、特に携帯型のノートパソコンは軽量化が要求されており、個々の部品それぞれの軽量化が必要となっている。一方、従来例の開閉蓋の構造におけるバネ板は、常に付勢力を働かせることが必要であるため、経年変化や頻度使用による付勢力の低下が生じたり、単にバネ板でピンを押さえているだけのため、蓋部の回転位置が不安定なことによる開閉不良等を起こしていた。
【０００６】
本発明は、このような開閉蓋の構造を簡素化し、金属製のバネ板等の部品を廃止して、軽量化と開閉不良の両方を解決した電子機器を提供することを目的とする。
【０００７】
【課題を解決するための手段】
この課題を解決するために本発明は、開閉蓋の対向する２辺の近傍にスリットを設け弾性力を発生させるとともに、開閉蓋のガイドピンをガイドする溝に凸部を設け、クリック感を出し回転支点位置を安定にしたものである。
【０００８】
これにより、バネ板を廃止でき軽量化を図れるとともに、開閉蓋の開閉不良を減らすことができる。
【０００９】
【発明の実施の形態】
本発明の請求項１に記載の発明は、
電子機器の部を覆う略矩形状面を含む蓋部と、
円筒形状であり、前記蓋部の前記略矩形状面に直角な厚み面に対して円筒軸を垂直にして設けたピン、および円筒形状であり、前記厚み面に対向する厚み面に対して円筒軸を垂直にして、かつ前記ピンと同一円筒軸上に設けたもう一つのピンとからなる一対のガイドピンと、
前記ガイドピンを設けた厚み面とは直角の厚み面より余材部分を残して垂直に切り込み、前記一対のガイドピンそれぞれが円筒軸方向に押されると前記略矩形状面方向に前記余材部分との弾性力により撓むように形成された一対のスリットと
を一体に成型した開閉蓋と、
前記開口部近傍に設けられ、電子機器の前記開口部側から電子機器内部の方向にあって、前記ガイドピンの円筒軸に垂直な面を底部として、円筒軸方向に凹状に形成し、前記ガイドピンをガイドし、前記開閉蓋が開状態では、前記開閉蓋を電子機器内部に収容するように形成し、かつ両端溝を壁面で塞いだ溝部と、
前記溝部の内部において、前記スリットと前記余材部分とで生じる弾性による撓みによって前記ガイドピンが乗り越えられる程度の高さであり、かつ前記開口部側の塞がれた前記溝端部より前記ガイドピンの円筒径の長さにほぼ等しい溝長さを残して配置した凸部と、
を一体に成型したガイド溝と、
を備え、
電子機器の前記開口部が開いた状態では、
前記開閉蓋は前記開口部側から電子機器内部に収容され、
電子機器の前記開口部を前記開閉蓋により閉じるときは、
前記蓋部を前記開口部の外部に引き出し、前記一対のガイドピンは前記ガイド溝内の前記凸部に突き当って、前記スリットと前記余材部分による弾性力によってクリック感とともに乗り越えて、塞がれた前記溝端部で止まり、前記開閉蓋は前記溝端部と前記凸部に挟まれて保持された前記一対のガイドピンを支点に回動して前記開口部を閉じる構成としたことを特徴とする開閉蓋を有する電子機器であり、
バネ板などの部品を必要としないため、電子機器の軽量化を図ることができ、バネ板等の付勢力を必要とせず開閉不良を減らすことができる他、開閉動作にクリック感を創出でき、開閉支点位置を明確に感じられるという作用も有する。また、蓋部材が多少硬度の大きいものでもスリットを設けることにより、弾性力が生じ、溝部の凸部を乗り越えさせられ、開閉動作にクリック感を創出でき、開閉支点位置を明確に感じられるという作用を有する。あるいは、開口部側端部から凸部端面の間でガイドピンが保持されるため、開閉支点位置が安定するという作用を有する。
【００１２】
以下、本発明の実施の形態について、図を用いて説明する。
（実施の形態１）
図１は本発明の一実施の形態の開閉蓋を有する電子機器であるノートパソコンの開閉部を機器内部より見た外観斜視図で、図１（ａ）は開閉蓋が開かれた状態を示し、図１（ｂ）は閉じられた状態を示している。図において、１ｂは本体部１に設けられたガイド溝で、開口部１ａ側から機器内部の方向に形成され、開口部１ａ側端部は円弧状に塞がれている。３は樹脂製の開閉蓋で、蓋部３ａの対向する２辺の端部近傍にはそれぞれ円筒状のガイドピン３ｂが設けられ、ガイド溝１ｂと嵌合している。また、３ｃはガイドピン３ｂが設けられた辺に平行に形成されたスリットで、これにより蓋部３ａとガイドピン３ｂとの間に弾性力が生じる。また、ガイド溝１ｂ内には、開口部１ａ側端部からガイドピン３ｂの外径とほぼ等しい寸法を空けて凸部１ｃが設けられている。凸部１ｃの高さは、ガイドピン３ｂがスリット３ｃによる弾性力によって乗り越えられる程度である。
【００１３】
以上のように構成されたノートパソコンの開閉蓋の開閉動作について説明する。開閉蓋３は、ガイドピン３ｂがガイド溝１ｂと嵌合しているため、ガイド溝１ｂに沿ってスライドし、蓋部３ａが開口部１ａの外部に引き出される。このとき、ガイドピン３ｂは一度ガイド溝１ｂ内の凸部１ｃに突き当たるが、スリット３ｃによる弾性力によって凸部１ｃを乗り越えることができる。その後開口部１ａ方向への移動は円弧状に塞がれたガイド溝１ｂの端部によって止められる。そして、その位置でガイドピン３ｂを支点に回転し、蓋部３ａの向きを図１（ｂ）の方向に変え、開口部１ａが塞がれる。このとき、開閉蓋３はガイドピン３ｂがガイド溝１ｂの端部と凸部１ｃにほぼ同寸法で挟まれているため位置が保持され、回転の支点が動かず、開閉動作が安定する。図２は、このときのガイド溝１ｂとガイドピン３ｂの位置関係を示すものである。また、ガイドピン３ｂが凸部１ｃを乗り越える時にクリック感を創出するため、回転支点位置を明確に感じ取ることができる。
【００１４】
このように、開閉蓋の回転支点位置が安定し、クリック感を創出するため、回転支点位置を明確に感じ取ることができ、開閉不良を減らすことができる。
【００１５】
また、開閉構造にバネ板などを不要とするため、構造が簡単になるとともに、電子機器の軽量化の一助ともなる。
【００１６】
なお、本実施の形態では、開閉蓋にスリットを設けたが、開閉蓋の樹脂製の材料自体が弾性を有するものであれば、特にスリットを設ける必要はない。
【００１７】
【発明の効果】
以上のように本発明によれば、開閉蓋の対向する２辺の近傍にスリットを設け弾性力を発生させるとともに、開閉蓋のガイドピンをガイドする溝に凸部を設けることにより、クリック感を出し回転支点位置が安定になり開閉蓋の開閉不良を減らすことができる他、簡素な構造になり、金属製のバネ板が廃止できるため、電子機器の軽量化を図れるという有利な効果が得られる。
【図面の簡単な説明】
【図１】本発明の一実施の形態のノートパソコンの開閉部を機器内部より見た外観斜視図
【図２】開閉蓋の開閉時のガイド溝とガイドピンの位置関係を表す側面図
【図３】従来の開閉蓋が設けられたノートパソコンの外観斜視図
【図４】従来のノートパソコンの開閉部を機器内部より見た開閉蓋の構成図
【符号の説明】
１  本体部
１ａ  開口部
１ｂ  ガイド溝
１ｃ  凸部
３  開閉蓋
３ａ  蓋部
３ｂ  ガイドピン
３ｃ  スリット
【図１】
0004016503.tif 000002
【図２】
0004016503.tif 000003
【図３】
0004016503.tif 000004
【図４】
0004016503.tif 000005